(57)【要約】  表面貼着用の遮水ストリップは、表面に閉じた稜線（２）が連続的に分布するストリップ状本体（１）を備え、貼着を緊密かつ遮水にする。遮水ストリップの表面に連続して分布する閉じた稜線の設計により、小さな力でも被取付物を壁面に密着させることができ、また、隙間ができにくく、より一層の防水遮水の効果を奏する。【選択図】図１
2021504609.tif 000002
【特許請求の範囲】
【請求項１】
表面貼着用の遮水ストリップであって、
表面に閉じた稜線が連続的に分布するストリップ状本体を備え、貼着を緊密かつ遮水にする、
ことを特徴とする遮水ストリップ。
【請求項２】
請求項１に記載の遮水ストリップであって、
前記閉じた稜線のそれぞれは、円形、多角形または不規則な閉鎖形状を呈し、前記閉じた稜線が緊密に配列し、隣接する閉じた稜線が接触するか、共縁である、
ことを特徴とする遮水ストリップ。
【請求項３】
請求項２に記載の遮水ストリップであって、
前記閉じた稜線のそれ自体の線幅が０．３〜１０ｍｍであり、かつ短筋断面が非尖状であり、前記閉じた稜線の突起の高さが稜線の線幅の１０％〜３００％である、
ことを特徴とする遮水ストリップ。
【請求項４】
請求項２または３に記載の遮水ストリップであって、
前記閉じた稜線は、ストリップ状本体の表面に１５度以上、１６５°以下の一定の角度で分布する、
ことを特徴とする遮水ストリップ。
【請求項５】
請求項４に記載の遮水ストリップであって、
前記閉じた稜線は、ストリップ状本体の表面に垂直に分布している、
ことを特徴とする遮水ストリップ。
【請求項６】
請求項１、２、３、５のいずれか一項に記載の遮水ストリップであって、
前記遮水ストリップ自身の材料が弾性材である、
ことを特徴とする遮水ストリップ。
【請求項７】
請求項６に記載の遮水ストリップであって、
前記遮水ストリップ自身の材料がＥＶＡ、ゴム、シリコン、ポリウレタンまたはフォームである、
ことを特徴とする遮水ストリップ。
【請求項８】
請求項６に記載の遮水ストリップであって、
前記ストリップ状本体の一方の表面に前記閉じた稜線が分布している、
ことを特徴とする遮水ストリップ。
【請求項９】
請求項８に記載の遮水ストリップであって、
前記ストリップ状本体の他方の表面にも前記閉じた稜線が分布している、
ことを特徴とする遮水ストリップ。
【請求項１０】
請求項８に記載の遮水ストリップであって、
前記ストリップ状本体の他方の表面に粘着層が設けられて粘着面が形成されている、
ことを特徴とする遮水ストリップ。
【発明の詳細な説明】
【技術分野】
【０００１】
本願は、出願番号２０１８１１１８８１４２．Ｘ、出願日２０１８年１０月１２日の中国特許出願を基礎として、その優先権を主張し、その出願の全内容は、ここに一体として組み込まれる。
【０００２】
（技術分野）
本願は、防水／遮水の技術分野に関し、特に表面貼着用の遮水ストリップに関する。
【背景技術】
【０００３】
従来の取付用の遮水ストリップは、その表面が完全な平面であるか、粘着剤が付着されている平面である。たとえば、屋外の壁に一部の部材を取り付ける際に、通常、被取付物と壁との間に遮水ストリップを介在させ、被取付物と壁との間に隙間ができないようにすることによって、防水や遮水の効果を達成する。しかしながら、通常の場合、屋外の壁の表面は、必ずしも滑らかなものとは限らない。取付の際に、被取付物、遮水ストリップ、壁面を緊密に貼り合わせるには大きな力を必要とする可能性があり、たとえばネジなどの締め具をきつく締め付ける必要がある。一方、取付時に大きな力が加わっても、遮水ストリップと被取付物との間、または遮水ストリップと壁面との間には水が流入できる隙間が残っており、防水遮水効果が低い。
【発明の概要】
【発明が解決しようとする課題】
【０００４】
本願が解決しようとする技術的課題は、壁などの表面に貼着する際の防水遮水問題である。
【課題を解決するための手段】
【０００５】
上記の技術的問題を解決するために、本願は、表面貼着用の遮水ストリップを開示している。前記表面貼着用の遮水ストリップは、表面に閉じた稜線（closed protrusion／環状突起）が連続的に分布するストリップ状本体を備え、貼着を緊密かつ遮水にする。
【０００６】
さらに、前記閉じた稜線のそれぞれは、円形、多角形または不規則な閉鎖形状を呈し、前記閉じた稜線が緊密に配列し、隣接する閉じた稜線が接触するか、共縁である。
【０００７】
さらに、前記閉じた稜線のそれ自体の線幅が０．３〜１０ｍｍであり、かつ短筋断面が非尖状であり、前記閉じた稜線の突起の高さが稜線の線幅の１０％〜３００％である。
【０００８】
さらに、前記閉じた稜線は、ストリップ状本体の表面に１５度以上、１６５°以下の一定の角度で分布する。
【０００９】
さらに、前記閉じた稜線は、ストリップ状本体の表面に垂直に分布している。
【００１０】
さらに、前記遮水ストリップ自身の材料が弾性材である。
【００１１】
さらに、前記遮水ストリップ自身の材料がＥＶＡ、ゴム、シリコン、ポリウレタンまたはフォームである。
【００１２】
さらに、前記ストリップ状本体の一方の表面に前記閉じた稜線が分布している。
【００１３】
さらに、前記ストリップ状本体の他方の表面にも前記閉じた稜線が分布している。
【００１４】
さらに、前記ストリップ状本体の他方の表面に粘着層が設けられて粘着面が形成されている。
【発明の効果】
【００１５】
本願に開示される表面貼着用の遮水ストリップは、表面に閉じた稜線が連続的に分布するストリップ状本体を備え、貼着を緊密かつ遮水にする。すなわち、被取付物を例えば壁面に取り付ける際にその遮水ストリップを挟むようにし、遮水ストリップの表面に連続して分布する閉じた稜線の設計により、小さな力でも被取付物を壁面に密着させることができ、また、隙間ができにくく、より一層の防水遮水の効果を奏する。
【図面の簡単な説明】
【００１６】
以下、本願の具体的な構成を図面を参照して詳しく記載する。
【００１７】
【図１】遮水ストリップの平面図である。
【図２】遮水ストリップの閉じた稜線の概略図である。
【図３】本願の閉じた稜線の別の概略図である。
【図４】遮水ストリップの側面図である。
【図５】遮水ストリップの別の側面図である。
【図６】遮水ストリップのまた別の側面図である。
【発明を実施するための形態】
【００１８】
本願の技術的内容、構造的特徴、達成される目的および効果を詳細に説明するために、以下に実施形態を結合し、添付図面と合わせて詳細に説明する。
【００１９】
図１を参照し、一つの具体的な実施例において、表面貼着用の遮水ストリップを開示している。前記遮水ストリップは、表面に閉じた稜線２が連続的に分布するストリップ状本体１を備え、貼着を緊密かつ遮水にする。従来技術では、一般的に、外力による圧着で遮水ストリップに一定の変形を生じさせることによって、被取付物、遮水ストリップ、壁面の間に隙間ができないようにして、最終的に防水および遮水の目的を実現することが考えられる。この提案は、従来の平面型遮水ストリップから、初めて、遮水ストリップの表面に閉じた稜線２が連続的に分布するように設計する。外力を加えて取付けた場合、閉じた稜線２は、従来技術の遮水ストリップ全体に対して変形しやすい。別の見方をすると、すなわち、より小さい外力を加えて取付けた場合であっても、閉じた稜線２の変形によって被取付物と、遮水ストリップと、壁面との間に隙間を空けることなく密着させることができる。一方、閉じた稜線２の連続的な分布及び閉塞性により、装着後の外部からの水の浸入が不可能となり、最外層の閉じた稜線２が部分的に損傷しても、閉じた稜線２全体の連続性及び閉塞性により、遮水ストリップ全体の防水遮水性が何ら損なわれることがない。
【００２０】
図２、図３を参照し、前記閉じた稜線２のそれぞれは、円形、多角形または不規則な閉鎖形状を呈し、すべての閉じた稜線２が緊密に配列し、隣接する閉じた稜線２が接触するか、共縁である。各閉じた稜線２の大きさは、同一であってもよく異なっていてもよく、その連続性および閉塞性が重要である。
【００２１】
前記閉じた稜線２のそれ自体筋の線幅が０．３〜１０ｍｍであり、かつ短筋断面が非尖状であり、前記閉じた稜線２の突起の高さが稜線の線幅の１０％〜３００％であることが好ましい。
【００２２】
前記閉じた稜線２は、ストリップ状本体２の表面に１５度以上、１６５°以下の一定の角度で分布することが好ましい。もちろん、図４、図５、図６に示すように、前記閉じた稜線２は、ストリップ状本体１の表面に垂直に分布してもよい。このような垂直な分布方式は、当該防水ストリップの加工製造を容易にする。
【００２３】
前記遮水ストリップ自身の材料が弾性材であり、たとえばＥＶＡ、ゴム、シリコン、ポリウレタンまたはフォームなどの弾性材であることが好ましい。
【００２４】
図４を参照し、一つの具体的な実施例において、前記ストリップ状本体１の一方の表面に前記閉じた稜線２が分布し、他方の表面は、過剰な処理を施されていない滑らかな表面であってもよい。
【００２５】
図６を参照し、一つの具体的な実施例において、前記ストリップ状本体１の一方の表面に前記閉じた稜線２が分布し、前記ストリップ状本体１の他方の表面にも前記閉じた稜線２が分布している。すなわち、ストリップ状本体１の両面に閉じた稜線２が設計されている。
【００２６】
図５を参照し、一つの具体的な実施例において、前記ストリップ状本体１の一方の表面に前記閉じた稜線２が分布し、前記ストリップ状本体１の他方の表面に粘着層３が設けられて粘着面が形成され、粘着を容易にする。
【００２７】
本願に開示される表面貼着用の遮水ストリップは、表面に閉じた稜線が連続的に分布するストリップ状本体を備え、貼着を緊密かつ遮水にする。すなわち、被取付物を例えば壁面に取り付ける際にその遮水ストリップを挟むようにし、遮水ストリップの表面に連続して分布する閉じた稜線の設計により、小さな力でも被取付物を壁面に密着させることができ、また、隙間ができにくく、より一層の防水遮水の効果を奏する。
【００２８】
ここで、上、下、左、右、前、後は、単に相対位置を表し、絶対位置を表さない。以上の記載は、本願の実施例に過ぎず、本願の特許請求の範囲を制限するものではない。本願明細書および図面の内容を利用して行われる等価構造または等価フロー変換、または他の関連技術分野に直接的または間接的に適用されるものは、同様に本願の特許請求の範囲に含まれる。
【００２９】
（付記）
（付記１）
表面貼着用の遮水ストリップであって、
表面に閉じた稜線が連続的に分布するストリップ状本体を備え、貼着を緊密かつ遮水にする、
ことを特徴とする遮水ストリップ。
【００３０】
（付記２）
付記１に記載の遮水ストリップであって、
前記閉じた稜線のそれぞれは、円形、多角形または不規則な閉鎖形状を呈し、前記閉じた稜線が緊密に配列し、隣接する閉じた稜線が接触するか、共縁である、
ことを特徴とする遮水ストリップ。
【００３１】
（付記３）
付記２に記載の遮水ストリップであって、
前記閉じた稜線のそれ自体の線幅が０．３〜１０ｍｍであり、かつ短筋断面が非尖状であり、前記閉じた稜線の突起の高さが稜線の線幅の１０％〜３００％である、
ことを特徴とする遮水ストリップ。
【００３２】
（付記４）
付記２または３に記載の遮水ストリップであって、
前記閉じた稜線は、ストリップ状本体の表面に１５度以上、１６５°以下の一定の角度で分布する、
ことを特徴とする遮水ストリップ。
【００３３】
（付記５）
付記４に記載の遮水ストリップであって、
前記閉じた稜線は、ストリップ状本体の表面に垂直に分布している、
ことを特徴とする遮水ストリップ。
【００３４】
（付記６）
付記１、２、３、５のいずれか一つに記載の遮水ストリップであって、
前記遮水ストリップ自身の材料が弾性材である、
ことを特徴とする遮水ストリップ。
【００３５】
（付記７）
付記６に記載の遮水ストリップであって、
前記遮水ストリップ自身の材料がＥＶＡ、ゴム、シリコン、ポリウレタンまたはフォームである、
ことを特徴とする遮水ストリップ。
【００３６】
（付記８）
付記６に記載の遮水ストリップであって、
前記ストリップ状本体の一方の表面に前記閉じた稜線が分布している、
ことを特徴とする遮水ストリップ。
【００３７】
（付記９）
付記８に記載の遮水ストリップであって、
前記ストリップ状本体の他方の表面にも前記閉じた稜線が分布している、
ことを特徴とする遮水ストリップ。
【００３８】
（付記１０）
付記８に記載の遮水ストリップであって、
前記ストリップ状本体の他方の表面に粘着層が設けられて粘着面が形成されている、
ことを特徴とする遮水ストリップ。
【符号の説明】
【００３９】
１：ストリップ状本体；２：閉じた稜線；３：粘着層。
【図１】
2021504609.tif 000003
【図２】
2021504609.tif 000004
【図３】
2021504609.tif 000005
【図４】
2021504609.tif 000006
【図５】
2021504609.tif 000007
【図６】
2021504609.tif 000008
【国際調査報告】
2021504609.tif 000009
2021504609.tif 000010
2021504609.tif 000011
2021504609.tif 000012